(57)【要約】【課題】入力画像の階調性を損なわずに中間調を表現可能とする。本発明の課題は、中間調処理において画像形成時の主走査方向に連続する順序でドットを発生させることにより、入力画像の階調性を損なわずに中間調を表現可能とする。【解決手段】本発明に係る画像形成装置１によれば、ディザマトリクスＭ１を用いて中間調処理を行うことにより、入力画像の階調値を表現する複数画素からなる画素ブロックにおけるドットの生成順序をレーザの主走査方向に連続する順序とするとともに、画素ブロックのドット生成開始位置を副走査方向に隣接する画素ブロックのドット生成開始値と主走査方向に２画素分以上ずらす。【選択図】図２
2007049595.tif 000002
【特許請求の範囲】
【請求項１】
入力された画像データに中間調処理を施す中間調処理部を備えた画像処理装置において、
前記中間調処理部は、ディザマトリクスを用いて前記入力された画像データの各画素の階調値を複数画素で構成される画素ブロック内のドットで表現する中間調画像データに変換するものであって、前記画素ブロック内におけるドットの生成順序を画像出力時の主走査方向に連続する順序とするとともに、前記画素ブロックのドット生成開始位置を副走査方向に隣接する画素ブロックのドット生成開始位置と主走査方向に２画素分以上ずらすことを特徴とする画像処理装置。
【請求項２】
前記入力画像データの種類を判別する判別部を備え、
前記中間調処理部は、異なる複数のディザマトリクスを備え、前記判別部による判別の結果、前記入力画像データが写真画像であると判別された場合に、前記複数のディザマトリクスのうち、他の少なくとも１つよりもディザマトリクスの配列数の大きいものを、前記中間調処理に使用するディザマトリクスとして設定することを特徴とする請求項１に記載の画像処理装置。
【請求項３】
前記判別部は、前記入力画像データに占める写真領域が予め設定された基準値を超える場合に、前記入力画像データが写真画像であると判別することを特徴とする請求項２に記載の画像処理装置。
【請求項４】
前記中間調処理部は、前記判別部により、前記入力画像データが写真画像であると判別された場合、前記入力画像データが文字画像であると判別された場合よりも、ディザマトリクスの配列数の大きいものを、前記中間処理に使用するディザマトリクスとして設定することを特徴とする請求項２又は３に記載の画像処理装置。
【請求項５】
前記判別部により、前記入力画像データが写真画像であると判別された場合、前記入力画像データに、解像度よりも階調を優先する処理が施されることを特徴とする請求項２〜４の何れか１項に記載の画像処理装置。
【請求項６】
請求項１〜５の何れか１項に記載の画像処理装置を備えたことを特徴とする画像形成装置。
【請求項７】
ディザマトリクスを用いて、入力された画像データの各画素の階調値を複数画素で構成される画素ブロック内のドットで表現する中間調画像データに変換するためのコンピュータに、
前記画素ブロック内におけるドットの生成順序を画像出力時の主走査方向に連続する順序とするとともに、前記画素ブロックのドット生成開始位置を副走査方向に隣接する画素ブロックのドット生成開始位置と主走査方向に２画素分以上ずらす機能を実現させるためのプログラム。
【請求項８】
前記コンピュータに、更に、
前記入力画像データの種類を判別する機能と、
前記判別の結果、前記入力画像データが写真画像であると判別された場合に、予め記憶手段に記憶されている、異なる複数のディザマトリクスのうち、他の少なくとも１つよりもディザマトリクスの配列数の大きいものを、前記中間調処理に使用するディザマトリクスとして設定する機能と、
を実現させることを特徴とする請求項７に記載のプログラム。
【請求項９】
前記入力画像データに占める写真領域が予め設定された基準値を超える場合に、前記入力画像データが写真画像であると判別することを特徴とする請求項８に記載のプログラム。
【請求項１０】
前記判別の結果、前記入力画像データが写真画像であると判別された場合、前記入力画像データが文字画像であると判別された場合よりも、ディザマトリクスの配列数の大きいものを、前記中間処理に使用するディザマトリクスとして設定することを特徴とする請求項８又は９に記載のプログラム。
【請求項１１】
前記コンピュータに、更に、
前記判別の結果、前記入力画像データが写真画像であると判別された場合、前記入力画像データに、解像度よりも階調を優先する処理を施す機能を実現させるための請求項８〜１０の何れか１項に記載のプログラム。
【請求項１２】
入力された画像データに中間調処理を施す画像処理方法において、
前記中間調処理は、ディザマトリクスを用いて前記入力された画像データの各画素の階調値を複数画素で構成される画素ブロック内のドットで表現する中間調画像データに変換するものであって、前記画素ブロック内におけるドットの生成順序を画像出力時の主走査方向に連続する順序とするとともに、前記画素ブロックのドット生成開始位置を副走査方向に隣接する画素ブロックのドット生成開始位置と主走査方向に２画素分以上ずらすことを特徴とする画像処理方法。
【請求項１３】
前記入力画像データの種類を判別し、前記判別の結果、前記入力画像データが写真画像であると判別された場合に、予め記憶手段に記憶されている、異なる複数のディザマトリクスのうち、他の少なくとも１つよりもディザマトリクスの配列数の大きいものを、前記中間調処理に使用するディザマトリクスとして設定することを特徴とする請求項１２に記載の画像処理方法。
【請求項１４】
前記入力画像データに占める写真領域が予め設定された基準値を超える場合に、前記入力画像データが写真画像であると判別することを特徴とする請求項１３に記載の画像処理方法。
【請求項１５】
前記判別の結果、前記入力画像データが写真画像であると判別された場合、前記入力画像データが文字画像であると判別された場合よりも、ディザマトリクスの配列数の大きいものを、前記中間処理に使用するディザマトリクスとして設定することを特徴とする請求項１３又は１４に記載の画像処理方法。
【請求項１６】
前記判別の結果、前記入力画像データが写真画像であると判別された場合、前記入力画像データに、解像度よりも階調を優先する処理を施すことを特徴とする請求項１３〜１５の何れか１項に記載の画像処理方法。
【発明の詳細な説明】
【技術分野】
【０００１】
本発明は、入力された画像データを中間調画像データに変換する画像処理装置、この画像処理装置を備えた画像形成装置、プログラム、及び画像処理方法に関する。
【背景技術】
【０００２】
電子写真方式の画像形成装置における中間調表現では、閾値マトリクスの中心から略放射状に閾値が大きくなるように配列された閾値マトリクスを用いて中間調処理を行うことで、従来からの印刷機にて印刷された画像に近い、ドット形状の出力を得ている（例えば、特許文献１参照）。
【０００３】
図９に、９画素で２５６階調を表現する際に用いられる閾値マトリクスの一例を示す。図９における閾値マトリクスの各要素１〜９は、例えば、図１０に示す各閾値ＬＵＴ（Look Up Table）が対応付けられており、この閾値マトリクスを用いて画像データにディザ処理等の中間調処理を施すことにより、要素１に対応する位置の画素から要素番号順にドットが生成されることとなるので、階調の違いによらずドット形状（例えば円状）を維持することができる。
【特許文献１】特開２００３−２３７２６２号公報
【発明の開示】
【発明が解決しようとする課題】
【０００４】
ところで、電子写真方式の画像形成装置において画像を形成する際、１画素分の出力特性は、レーザ発光時の立ち上がり時間を反映して、図１１に示すようにＳ字状となっている。このような出力特性の元で図９に示す要素番号の順序でドットを生成していくと、ドット生成順序が連続する画素同士が左右に隣り合っていないところでは、ドットを生成する度に出力信号の立ち上がりに遅延が生じ、そこで階調の飛びが発生し、入力画像の階調性が損なわれる。これを防ぐために、従来はドット生成時の階調特性一つ一つにγカーブをかけ、図１１の出力特性がなるべくリニアになるように変更する等の調整を実施していた。しかしながら、立ち上がりの階調特性はドットの生成順序に影響を受けるため、この方法では飛びのない階調を得るためにかなりの調整作業を必要としていた。
【０００５】
本発明の課題は、入力画像の階調性を損なわずに中間調を表現可能とすることである。
【課題を解決するための手段】
【０００６】
上記課題を解決するため、請求項１に記載の発明は、
入力された画像データに中間調処理を施す中間調処理部を備えた画像処理装置において、
前記中間調処理部は、ディザマトリクスを用いて前記入力された画像データの各画素の階調値を複数画素で構成される画素ブロック内のドットで表現する中間調画像データに変換するものであって、前記画素ブロック内におけるドットの生成順序を画像出力時の主走査方向に連続する順序とするとともに、前記画素ブロックのドット生成開始位置を副走査方向に隣接する画素ブロックのドット生成開始位置と主走査方向に２画素分以上ずらすことを特徴としている。
【０００７】
請求項２に記載の発明は、請求項１に記載の発明において、
前記入力画像データの種類を判別する判別部を備え、
前記中間調処理部は、異なる複数のディザマトリクスを備え、前記判別部による判別の結果、前記入力画像データが写真画像であると判別された場合に、前記複数のディザマトリクスのうち、他の少なくとも１つよりもディザマトリクスの配列数の大きいものを、前記中間調処理に使用するディザマトリクスとして設定することを特徴としている。
【０００８】
請求項３に記載の発明は、請求項２に記載の発明において、
前記判別部は、前記入力画像データに占める写真領域が予め設定された基準値を超える場合に、前記入力画像データが写真画像であると判別することを特徴としている。
【０００９】
請求項４に記載の発明は、請求項２又は３に記載の発明において、
前記中間調処理部は、前記判別部により、前記入力画像データが写真画像であると判別された場合、前記入力画像データが文字画像であると判別された場合よりも、ディザマトリクスの配列数の大きいものを、前記中間処理に使用するディザマトリクスとして設定することを特徴としている。
【００１０】
請求項５に記載の発明は、請求項２〜４の何れか一項に記載の発明において、
前記判別部により、前記入力画像データが写真画像であると判別された場合、前記入力画像データに、解像度よりも階調を優先する処理が施されることを特徴としている。
【００１１】
請求項６に記載の発明の画像形成装置は、
請求項１〜５の何れか１項に記載の画像処理装置を備えたことを特徴としている。
【００１２】
請求項７に記載の発明は、
ディザマトリクスを用いて、入力された画像データの各画素の階調値を複数画素で構成される画素ブロック内のドットで表現する中間調画像データに変換するためのコンピュータに、
前記画素ブロック内におけるドットの生成順序を画像出力時の主走査方向に連続する順序とするとともに、前記画素ブロックのドット生成開始位置を副走査方向に隣接する画素ブロックのドット生成開始位置と主走査方向に２画素分以上ずらす機能を実現させるためのプログラムであることを特徴としている。
【００１３】
請求項８に記載の発明は、請求項７に記載の発明において、
前記コンピュータに、更に、
前記入力画像データの種類を判別する機能と、
前記判別の結果、前記入力画像データが写真画像であると判別された場合に、予め記憶手段に記憶されている、異なる複数のディザマトリクスのうち、他の少なくとも１つよりもディザマトリクスの配列数の大きいものを、前記中間調処理に使用するディザマトリクスとして設定する機能と、
を実現させることを特徴としている。
【００１４】
請求項９に記載の発明は、請求項８に記載の発明において、
前記入力画像データに占める写真領域が予め設定された基準値を超える場合に、前記入力画像データが写真画像であると判別することを特徴としている。
【００１５】
請求項１０に記載の発明は、請求項８又は９に記載の発明において、
前記判別の結果、前記入力画像データが写真画像であると判別された場合、前記入力画像データが文字画像であると判別された場合よりも、ディザマトリクスの配列数の大きいものを、前記中間処理に使用するディザマトリクスとして設定することを特徴としている。
【００１６】
請求項１１に記載の発明は、請求項８〜１０の何れか一項に記載の発明において、
前記コンピュータに、更に、
前記判別の結果、前記入力画像データが写真画像であると判別された場合、前記入力画像データに、解像度よりも階調を優先する処理を施す機能を実現させることを特徴としている。
【００１７】
請求項１２に記載の発明は、
入力された画像データに中間調処理を施す画像処理方法において、
前記中間調処理は、ディザマトリクスを用いて前記入力された画像データの各画素の階調値を複数画素で構成される画素ブロック内のドットで表現する中間調画像データに変換するものであって、前記画素ブロック内におけるドットの生成順序を画像出力時の主走査方向に連続する順序とするとともに、前記画素ブロックのドット生成開始位置を副走査方向に隣接する画素ブロックのドット生成開始位置と主走査方向に２画素分以上ずらすことを特徴としている。
【００１８】
請求項１３に記載の発明は、請求項１２に記載の発明において、
前記入力画像データの種類を判別し、前記判別の結果、前記入力画像データが写真画像であると判別された場合に、予め記憶手段に記憶されている、異なる複数のディザマトリクスのうち、他の少なくとも１つよりもディザマトリクスの配列数の大きいものを、前記中間調処理に使用するディザマトリクスとして設定することを特徴としている。
【００１９】
請求項１４に記載の発明は、請求項１３に記載の発明において、
前記入力画像データに占める写真領域が予め設定された基準値を超える場合に、前記入力画像データが写真画像であると判別することを特徴としている。
【００２０】
請求項１５に記載の発明は、請求項１３又は１４に記載の発明において、
前記判別の結果、前記入力画像データが写真画像であると判別された場合、前記入力画像データが文字画像であると判別された場合よりも、ディザマトリクスの配列数の大きいものを、前記中間処理に使用するディザマトリクスとして設定することを特徴としている。
【００２１】
請求項１６に記載の発明は、請求項１３〜１５の何れか一項に記載の発明において、
前記判別の結果、前記入力画像データが写真画像であると判別された場合、前記入力画像データに、解像度よりも階調を優先する処理を施すことを特徴としている。
【発明の効果】
【００２２】
請求項１、６、７、１２に記載の発明によれば、中間調処理により発生させるパターンをドット形状に維持しつつ、入力画像の階調性を損なわずに中間調を表現可能となり、階調性が良好な画像を出力することが可能となる。
【００２３】
請求項２〜５、８〜１１、１３〜１６に記載の発明によれば、入力画像データの種類の判別結果、入力画像データが写真画像である場合に、より階調性の良好な画像を出力することが可能となる。
【発明を実施するための最良の形態】
【００２４】
以下、図を参照して、本発明の実施の形態を詳細に説明する。
なお、本実施の形態においては、説明の便宜上、入力画像と出力画像の画素数を同じくする場合を例にとり説明するが、これに限定されるものではない。
【００２５】
図１に、本発明に係る画像形成装置１の機能構成例を示す。画像形成装置１はモノクロコピー機であり、図１に示すように、制御部１０、操作表示部２０、画像読取装置３０、画像処理装置４０、画像出力装置５０等により構成されている。
【００２６】
制御部１０は、ＣＰＵ、ＲＯＭ（Read Only Memory）、ＲＡＭ（Random Access Memory）等により構成される。制御部１０のＣＰＵは、操作表示部２０の操作により、ＲＯＭに格納されているシステムプログラムや各種処理プログラムを読み出してＲＡＭ内に展開し、展開されたプログラムに従って、画像形成装置１各部の動作を集中制御する。また、制御部１０のＣＰＵは、展開されたプログラムに従って各種処理を実行する。
【００２７】
操作表示部２０は、ＬＣＤ（Liquid Crystal Display）等により構成され、制御部１０から入力される表示信号の指示に従って表示画面上に各種操作ボタンや装置の状態表示、各機能の動作状況等の表示を行う。また、ＬＣＤの表示画面上は、透明電極を格子状に配置した感圧式（抵抗膜圧式）のタッチパネルが構成されており、手指やタッチペン等で押下された力点のＸＹ座標を電圧値で検出し、検出された位置信号を操作信号として制御部１０に出力する。なお、タッチパネルは、感圧式に限らず、他の静電式、光式等であってもよい。更に、操作表示部２０は、数字ボタン、スタートボタン等の各種操作ボタンを備え、ボタン操作による操作信号を制御部１０に出力する。
【００２８】
画像読取装置３０は、光源、ＣＣＤ（Charge Coupled Device）、Ａ／Ｄ変換器等を備え、光源から原稿へ照明走査した光の反射光を結像して光電変換することにより原稿の画像を読み取り、読み取った画像をＡ／Ｄ変換して画像データＤ１を画像処理装置４０に出力する。
【００２９】
画像処理装置４０は、画像データＤ１に各種画像処理を施して画像データＤ５として画像出力装置５０に出力する。即ち、画像処理装置４０に入力された画像データＤ１は、γ変換部４１でγ変換が施され、この変換された画像データＤ２は平均化処理部４２で平均化処理され、平均化された画像データＤ３はγ補正部４３においてγ補正され、補正された画像データＤ４は中間調処理部４４でディザ処理され、この処理された画像データＤ５は画像出力装置５０へ出力される。
なお、本実施形態においては、画像出力装置５０として、レーザービームプリンタを例にとり説明するが、画像出力装置としては、画像データに基づいて画像を出力する装置であれば良く、レーザービーム以外の画像形成装置や、ディスプレイ等も含む。
【００３０】
画像処理装置４０の各部の機能は、画像処理装置４０に設けられたＣＰＵと、画像処理装置４０に設けられたＲＯＭに記憶されているプログラムとの協働によるソフトウエア処理により実現されることとするが、専用のハードウエアにより実現されるようにしてもよい。また、制御部１０のＲＯＭに各部の機能を実現するためのプログラムを記憶し、制御部１０のＣＰＵとプログラムとの協働によるソフトウエア処理により実現する構成としてもよい。
【００３１】
γ変換部４１は、画像読取装置３０で読み取られた画像データＤ１を輝度リニアから濃度リニアの階調値に変換し、変換された画像データＤ２を平均化処理部４２に出力する。なお、本実施の形態においては、画像データＤ２は２５６階調で表現されることとするが、これに限定されない。
【００３２】
平均化処理部４２は、画像データＤ２に、後段の中間調処理部４４と同期した平均化処理を施す。具体的には、平均化処理部４２は、中間調処理部４４において３×６画素で２５６画素を表現するディザ処理を行う場合、３×６画素の画素ブロックごとに画像データＤ２をブロック化し、各ブロックにおいてブロック内の画素の画像信号値の平均値を求め、この平均値をブロック内の画素の画像信号値として決定する。
【００３３】
平均化処理部４２において画像データＤ２にブロック平均処理を施した後、この平均化された画像データＤ３はγ補正部４３に出力される。
【００３４】
γ補正部４３は、予め設定されたγ補正カーブを用いて画像データＤ３のレベルを変換し、画像出力装置５０の階調特性を補正する。γ補正部４３により階調特性を補正された画像データＤ４は、中間調処理部４４に出力される。
【００３５】
中間調処理部４４は、組織的ディザ法によりディザマトリクスを用いて中間調処理（ディザ処理）を行い、画像データＤ４の各画素の階調値を複数画素（ここでは３×６画素）で構成される画素ブロック内のドットで表現する中間調画像データに変換する。
【００３６】
本実施の形態において、中間調処理部４４は、図示しない記憶手段を備え、図２に示すディザマトリクスＭ１を記憶している。ディザマトリクスＭ１の１ラインは、後述する画像出力装置５０におけるレーザの１走査に対応している。
【００３７】
このディザマトリクスＭ１は、図２に示すように、３×６のディザマトリクスＭ１０（太線で示す）が周期的に配置されて構成されている。各ディザマトリクスＭ１０は、要素１〜６がマトリクス状に配列されている。各要素１〜６には、図３に示す閾値ＬＵＴが対応付けられており、中間調処理部４４では、画像データＤ４の各画素の階調値を入力して閾値ＬＵＴからの出力値を得ることにより、画像データＤ４を中間調画像データである画像データＤ５に変換する。従って、画像データＤ５は、３×６画素のドット形状の周期的なパターンにより構成されることとなる。
【００３８】
後述する画像出力装置５０では、画像データＤ５における０以外の階調値をもつ画素位置にレーザが照射され、用紙上に点が打たれる、即ち、ドットが生成されるため、図２に示す各ディザマトリクスＭ１０の要素１に対応する位置の画素においては、入力された階調値が０を超えればドットが生成されることとなる。同様に、要素２に対応する位置の画素においては、入力された階調値がＡ１を超えればドットが生成され、要素３に対応する位置の画素においては、入力された階調値がＡ２を超えればドットが生成され、要素４に対応する位置の画素においては、入力された階調値がＡ３を超えればドットが生成され、要素５に対応する位置の画素においては、入力された階調値がＡ４を超えればドットが生成され、要素６に対応する位置の画素においては、入力された階調値がＡ５を超えればドットが生成される。すなわち、画像データＤ５の各ディザマトリクスＭ１０に対応する画素ブロック内では、要素番号の昇順にドットが生成される。
【００３９】
ここで、ディザマトリクスＭ１の各ディザマトリクスＭ１０は、要素１〜要素６がレーザの主走査方向に向かって昇順に並んで配置されており、このディザマトリクスＭ１を使用してディザ処理を行うことにより、各ラインのドット生成順序をレーザの主走査方向に連続させることができる。従って、要素１に対応する画素位置においてドットを生成する際には、レーザのＯＦＦからＯＮへの切り替えにより立ち上がりに遅れのある出力特性となる場合もあるが、要素２以降の画素位置におけるドットは左隣のドットが生成された後に生成されることとなるため、レーザのＯＦＦからＯＮへの切り替えによる出力特性の立ち上がりの遅延による階調の飛びを抑制することが可能となり、階調性を損なわずに中間調を表現することが可能となる。
【００４０】
また、ディザマトリクスＭ１において、各ディザマトリクスＭ１０は、その開始位置（要素１の位置）が副走査方向に隣接する他のディザマトリクスＭ１０と主走査方向に２画素以上ずれた構成となっている。主走査方向に０画素や１画素程度のずれ量の場合、上下に隣接する画素ブロック間で生成されたドットが接触しやすくなり、画像を再生した場合、人間の視覚により画像の周期的なパターンがライン状に認識され易い。そこで、図２に示すように副走査方向に隣接するディザマトリクスＭ１０同士の開始位置を主走査方向に２画素分以上ずらすことにより、図４に示すように、ドット形状をある程度維持することが可能となる。図４は、図２に示すディザマトリクスを用いて階調値Ａ１の均一画像を画像出力装置５０で出力した場合の出力例を示す図である。
【００４１】
なお、図２に示す各ディザマトリクスＭ１０は、レーザの副走査方向で要素１の位置を同じとし、副走査方向の要素数を３つとしたが、これに限定されない。
【００４２】
図１に戻り、画像出力装置５０は、パルス幅変調器、レーザ光源、感光ドラム、帯電器、現像器、給紙部、排紙部、定着装置等を備えて構成されており、画像処理装置４０から入力された画像データをパルス幅変調器によりパルス幅変調してレーザ光を発光させ、帯電器により帯電された感光ドラム表面にレーザ光を露光走査することにより静電潜像を形成する。更に、画像出力装置５０は、操作表示部２０から入力指示されたサイズ、向きの印刷用紙を給紙部から搬送し、感光ドラム表面の静電潜像を含む領域に現像器によりトナーを付着させ、搬送された印刷用紙にトナーを転写して定着させた後、排紙部から排出する。
【００４３】
以上説明したように、画像形成装置１によれば、ドットをレーザの主走査方向に連続する順序で発生させるので、レーザ発光時の立ち上がりの特性による階調の飛びを抑制することが可能となり、入力画像の階調性を損なわずに中間調を表現することが可能となる。
また、レーザの副走査方向に隣接する画素ブロック同士のドット生成開始位置が主走査方向に２ドット以上ずれた位置となるので、ドット形状のパターンを維持することが可能であると共に、周期的なパターンを人間の視覚により認識することを抑制できる。
【００４４】
（変形例）
以下、上記実施の形態の変形例について説明する。
本変形例において、制御部１０のＲＯＭは、パラメータ自動設定処理プログラムを記憶しており、制御部１０は、後述するパラメータ自動設定処理を実行する。
【００４５】
また、中間調処理部４４は、上述のディザマトリクスＭ１の他、ディザマトリクスＭ２を記憶している。
ディザマトリクスＭ２は、図５に示すように、４×８画素単位のディザマトリクスＭ２０が周期的に配置されて構成されたものである。各ディザマトリクスＭ２０には、要素１〜８がマトリクス状に配列されている。要素１には入力された階調値が０を超えた場合にドットが生成される閾値ＬＵＴが対応付けられている。同様に、要素２には入力された階調値がＢ１を超えた場合に、要素３には入力された階調値がＢ２を超えた場合に、要素４には入力された階調値がＢ３を超えた場合に、要素５には入力された階調値がＢ４を超えた場合に、要素６には入力された階調値がＢ５を超えた場合に、要素７には入力された階調値がＢ６を超えた場合に、要素８には入力された階調値がＢ７を超えた場合に、ドットが生成される閾値ＬＵＴがそれぞれ対応付けられている（０＜Ｂ１＜Ｂ２＜Ｂ３＜Ｂ４＜Ｂ５＜Ｂ６＜Ｂ７＜２５５）。
【００４６】
以下、図６を参照して制御部１０により実行されるパラメータ自動設定処理について説明する。当該処理は、操作表示部２０からパラメータ自動設定モードが設定され、コピー動作が指示された際に実行される処理であり、当該処理の実行により判別部が実現される。
【００４７】
まず、画像読取装置３０により原稿の画像が読み取られ（ステップＳ１）、得られた画像データに対し領域判別処理が実行される（ステップＳ２）。
【００４８】
領域判別処理においては、画像データの合計濃度や濃度勾配や濃度分布等に基づいて、画像データ内の文字領域、写真領域が判別される。
【００４９】
次いで、画像データ全体に占める写真領域の割合が算出され（ステップＳ３）、写真領域が予め設定された基準値を超えた場合（ステップＳ３；ＹＥＳ）、当該画像データが写真画像であると判別され（ステップＳ４）、画像処理装置４０の各部に階調優先でのパラメータ設定が通知され（ステップＳ５）、画像処理装置４０の各部において階調優先のパラメータを利用して画像処理が施される（ステップＳ８）。例えば、平均化処理部４２においては、４×８画素の画素ブロック単位で平均化処理が施され、中間調処理部４４においては、ディザマトリクスＭ２を用いて中間調処理が施される。
【００５０】
一方、写真領域が予め設定された基準値を超えない場合（ステップＳ３；ＮＯ）、当該画像データが文字画像であると判別され（ステップＳ６）、画像処理装置４０の各部に解像度優先でのパラメータ設定が通知され（ステップＳ７）、画像処理装置４０の各部において解像度優先のパラメータを利用して画像処理が施される（ステップＳ８）。例えば、平均化処理部４２においては、３×６画素の画素ブロック単位で平均化処理が施され、中間調処理部４４においては、ディザマトリクスＭ１を用いて中間調処理が施される。
【００５１】
画像処理済みの画像データＤ５は、画像出力装置５０に出力され、画像出力装置５０において、画像データＤ５に基づき転写紙上に画像が形成され出力され（ステップＳ９）、本処理は終了する。
【００５２】
図７（ａ）に、階調優先と判別される画像例、図７（ｂ）に解像度優先と判別される画像例を示す。図７（ａ）に示す画像例のように、写真領域が広範囲を占める写真画像においては、ディザマトリクスＭ２を用いて中間調処理を行うことにより、階調性をより良好な画像とすることができる。文字領域が広範囲を占める文字画像においては、ディザマトリクスＭ１を用いて中間調処理を行うことにより、精細な、文字画像に適した画像とすることができる。
【００５３】
上述の変形例によれば、入力された画像データの画像特性に適したパラメータを自動的に設定して画像処理を行うことが可能となる。特に、入力された画像データに占める写真領域が基準値以上である場合には、より配列数の大きいディザマトリクスを用いて中間調処理を施すので、階調の再現性を向上させることができ、階調性がより良好な画像を出力することができる。また、文字領域が主な画像においては、精細な画像を出力することが可能となる。なお、パラメータ設定モードが指定された際に、操作表示部２０の表示画面上に、「階調優先」又は「解像度優先」を設定するためのパラメータ画面を表示し、ユーザが直接「階調優先」又は「解像度優先」か、すなわち、使用するディザマトリクスを始めとするパラメータを設定可能な構成としてもよい。
【００５４】
また、上記変形例においては、中間調処理部４４に配列数の異なる２つのディザマトリクスを備え、入力された画像データが写真画像であると判別された場合、２つのディザマトリクスのうちディザマトリクスの配列数の大きい方を中間調処理に使用するディザマトリクスとして設定することとしたが、中間調処理部４４が備えるディザマトリクスは２以上であってもよく、入力された画像データが写真画像であると判別された場合には、中間調処理部４４が有するディザマトリクスのうち、他の少なくとも１つよりもディザマトリクスの配列数が大きいものが中間調処理に使用するディザマトリクスとして設定される。例えば、中間調処理部４４が３×６画素のディザマトリクス、４×８画素のディザマトリクス、５×１０画素のディザマトリクスを有している場合、写真画像に対しては、操作表示部２０から入力される階調優先度合い等に応じて４×８画素のディザマトリクス又は５×１０画素のディザマトリクスが設定される。
【００５５】
以上、本発明の実施の形態及びその変形例について説明したが、上記実施の形態及び変形例における記述内容は、本発明を適用可能な画像形成装置１の好適な一例であり、これに限定されるものではない。
【００５６】
例えば、上記実施の形態及び変形例においては、ディザマトリクスを３×６画素、４×８画素として説明したが、これに限定されるものではない。
【００５７】
また、上記実施の形態においては、モノクロコピー機を例にとり説明したが、本発明は、カラーコピー機にも適用することができる。
【００５８】
図８に、カラーコピー機である画像形成装置２の機能的構成例を示す。図８に示すように、画像形成装置２は、制御部１０、操作表示部２０、画像読取装置６０、画像処理装置７０、画像出力装置８０により構成されている。各構成要素はシステムバスを介して接続されたＣＰＵ等により構成される制御部１０の統括的な制御下において動作する。
【００５９】
画像読取装置６０は、光源、ＣＣＤ（Charge Coupled Device）、Ａ／Ｄ変換器等により構成され、光源から原稿へ照明走査した光の反射光を結像して光電変換することにより原稿の画像をR信号、G信号、B信号として読み取り、読み取った画像をＡ／Ｄ変換して画像処理装置７０に出力する。
【００６０】
画像処理装置７０においては、まず、画像読取装置６０から入力されたR、G、Bの各画像データを、それぞれγ変換部７１ａ〜７１ｃにより輝度リニアから濃度リニアに変換し、色再現処理部７２において、R、G、B画像データを画素毎にC、M、Y、K画像データに変換する。平均化処理部７３ａ〜７３ｄは、それぞれC、M、Y、K画像データの色材毎に、上述した平均化処理部４２と同様の処理を行う。γ補正部７４ａ〜７４ｄは、それぞれC、M、Y、K画像データの色材毎に、上述したγ補正部４３と同様の処理を行う。中間調処理部７５ａ〜７５ｄは、それぞれC、M、Y、K画像データの色材毎に、上述した中間調処理部４４と同様の処理を行う。なお、各中間調処理部７５ａ〜７５ｄには、処理する色に応じたディザマトリクスが設けられている。
【００６１】
画像出力装置８０は、カラーの画像出力装置であり、画像処理装置７０から出力された画像データをパルス幅変調し、画像データに基づき作像、転写、定着を行って出力する。このように、カラーコピー機においても、本発明を適用することが可能である。
【００６２】
また、上記実施の形態においては、電子写真方式による画像形成装置について説明したが、これに限定されず、例えば、インクジェット方式等であってもよい。また、コピー機に限らず、ＬＡＮ等のネットワークを介して接続されたＰＣ等のホスト装置から送信された画像データをプリントするプリンタにおいても本発明を適用することができる。
【００６３】
その他、画像形成装置１、２の細部構成及び細部動作に関しても、本発明の趣旨を逸脱することのない範囲で適宜変更可能である。
【図面の簡単な説明】
【００６４】
【図１】本発明に係る画像形成装置１の機能的構成を示すブロック図である。
【図２】図１の中間調処理部４４で用いられるディザマトリクスＭ１を示す図である。
【図３】図２のディザマトリクスＭ１の各要素に対応付けられた閾値ＬＵＴを示す図である。
【図４】図２のディザマトリクスＭ１を用いて階調値Ａ１の均一画像を画像出力装置５０で出力した場合の出力例を示す図である。
【図５】図１の中間調処理部４４で用いられるディザマトリクスＭ２を示す図である。
【図６】図１の制御部１０により実行されるパラメータ自動設定処理を示すフローチャートである。
【図７】（ａ）は、図６において、階調優先と判別される画像例、（ｂ）は、解像度優先と判別される画像例を示す図である。
【図８】カラーコピー機である画像形成装置２の機能的構成を示すブロック図である。
【図９】９画素で２５６階調を表現する際に用いられる閾値マトリクスの一例を示す図である。
【図１０】図９の各要素に対応付けられた閾値ＬＵＴを示す図である。
【図１１】電子写真方式の画像形成装置における１画素分の出力特性を示す図である。
【符号の説明】
【００６５】
１、２  画像形成装置
１０  制御部
２０  操作表示部
３０、６０    画像読取装置
４０、７０    画像処理装置
４１、７１ａ〜７１ｃ    γ変換部
４２、７３ａ〜７３ｄ  平均化処理部
４３、７４ａ〜７４ｄ  γ補正部
４４、７５ａ〜７５ｄ  中間調処理部
７２    色再現処理部
５０、８０    画像出力装置
【図１】
2007049595.tif 000003
【図２】
2007049595.tif 000004
【図３】
2007049595.tif 000005
【図４】
2007049595.tif 000006
【図５】
2007049595.tif 000007
【図６】
2007049595.tif 000008
【図７】
2007049595.tif 000009
【図８】
2007049595.tif 000010
【図９】
2007049595.tif 000011
【図１０】
2007049595.tif 000012
【図１１】
2007049595.tif 000013